(57)【要約】【課題】  ステム部材上での赤外線センサ本体の位置ずれを防止することができる赤外線センサ装置を提供すること。【解決手段】  赤外線センサ本体と、赤外線センサ本体を上部に搭載したベース部材１１と、ベース部材を上部に搭載したステム部材とを備え、ステム部材が、上下に貫通して上部に突出していると共に互いに絶縁された複数の導電性のリードピンＰを備え、ベース部材が、複数のリードピンと赤外線センサ本体とを導電性接着材を介して接続する複数の端子部材１３を備え、ベース部材の下部に、複数のリードピンに対応した位置にそれぞれ配されていると共に対応する端子部材が内面に露出した複数の位置決め用凹部１４が形成され、リードピンが、対応する位置決め用凹部に挿入されている。【選択図】図１
2019158786.tif 000002
【特許請求の範囲】
【請求項１】
赤外線センサ本体と、
前記赤外線センサ本体を上部に搭載したベース部材と、
前記ベース部材を上部に搭載したステム部材とを備え、
前記ステム部材が、上下に貫通して上部に突出していると共に互いに絶縁された複数の導電性のリードピンを備え、
前記ベース部材が、複数の前記リードピンと前記赤外線センサ本体とを導電性接着材を介して接続する複数の端子部材を備え、
前記ベース部材の下部に、複数の前記リードピンに対応した位置にそれぞれ配されていると共に対応する前記端子部材が内面に露出した複数の位置決め用凹部が形成され、
前記リードピンが、対応する前記位置決め用凹部に挿入されていることを特徴とする赤外線センサ装置。
【請求項２】
請求項１に記載の赤外線センサ装置において、
前記位置決め用凹部が、前記ベース部材下部の角部を矩形状に切り欠いて形成された２つの内壁面を有し、
前記端子部材が、前記内壁面のうち一つに一部が露出し、
前記リードピンが、２つの前記内壁面で構成された隅部に近接して配されていることを特徴とする赤外線センサ装置。
【請求項３】
請求項１又は２に記載の赤外線センサ装置において、
前記ベース部材が、平面視で略長方形状又は略正方形状とされ、
前記リードピンが、前記ベース部材の四隅近傍かつ対応する前記端子部材の外側にそれぞれ配され、
互いに対応する前記端子部材の外側面と前記リードピンの外周面とが、前記導電性接着材で接着されていることを特徴とする赤外線センサ装置。
【請求項４】
請求項１から３のいずれか一項に記載の赤外線センサ装置において、
前記ステム部材上に前記赤外線センサ本体及び前記ベース部材を内側に収納した状態で設置されたキャップ部材を備え、
前記キャップ部材が、赤外線を透過可能な円形状の丸窓部を備え、
前記丸窓部が、前記ベース部材の中心に中心軸が一致して配されていることを特徴とする赤外線センサ装置。
【発明の詳細な説明】
【技術分野】
【０００１】
本発明は、測定対象物からの赤外線を検知して該測定対象物の温度等を測定する赤外線センサ装置に関する。
【背景技術】
【０００２】
従来、測定対象物から輻射により放射される赤外線を非接触で検知して測定対象物の温度を測定する温度センサとして、赤外線センサが使用されている。
例えば、特許文献１には、絶縁性フィルムと、該絶縁性フィルムの一方の面に互いに離間させて設けられた第１の感熱素子及び第２の感熱素子と、絶縁性フィルムの一方の面に形成され第１の感熱素子に接続された導電性の第１の配線膜及び第２の感熱素子に接続された導電性の第２の配線膜と、第２の感熱素子に対向して絶縁性フィルムの他方の面に設けられた赤外線反射膜とを備えた赤外線センサが記載されている。この赤外線センサでは、赤外線反射膜によって赤外線の反射領域を設けており、絶縁性フィルムの他方の面が赤外線の受光領域と反射領域とに左右に分かれている。
【０００３】
また、このような赤外線センサを実装する際に、赤外線センサを支持して実装基板上に設置すると共に導通を図る実装部材が用いられる。例えば、特許文献２には、絶縁性フィルムに感熱素子及び複数の端子電極が形成された赤外線センサ本体を、上部に固定して基板へ実装可能な赤外線センサ実装部材が記載されている。この赤外線センサ実装部材は、樹脂製の実装部材本体と、実装部材本体に取り付けられ上端部が端子電極に接続されると共に下端部が基板への実装時に接続される導電性の複数の端子部材とを備えている。
【先行技術文献】
【特許文献】
【０００４】
【特許文献１】特開２０１１−１０２７９１号公報
【特許文献２】特開２０１４−７１０５１号公報
【発明の概要】
【発明が解決しようとする課題】
【０００５】
上記従来の技術には、以下の課題が残されている。
すなわち、上記従来技術の赤外線センサ本体を実装した部材を、Ｃａｎパッケージのステム部材上に載置する場合、ステム部材のリードピンと端子部材とを接続する必要があると共に、位置決めが難しく、Ｃａｎパッケージ内に収納した際に位置ずれによって視野角のずれなどが生じるおそれがあった。
【０００６】
本発明は、前述の課題に鑑みてなされたもので、ステム部材上での赤外線センサ本体の位置ずれを防止することができる赤外線センサ装置を提供することを目的とする。
【課題を解決するための手段】
【０００７】
本発明は、前記課題を解決するために以下の構成を採用した。すなわち、第１の発明に係る赤外線センサ装置は、赤外線センサ本体と、前記赤外線センサ本体を上部に搭載したベース部材と、前記ベース部材を上部に搭載したステム部材とを備え、前記ステム部材が、上下に貫通して上部に突出していると共に互いに絶縁された複数の導電性のリードピンを備え、前記ベース部材が、複数の前記リードピンと前記赤外線センサ本体とを導電性接着材を介して接続する複数の端子部材を備え、前記ベース部材の下部に、複数の前記リードピンに対応した位置にそれぞれ配されていると共に対応する前記端子部材が内面に露出した複数の位置決め用凹部が形成され、前記リードピンが、対応する前記位置決め用凹部に挿入されていることを特徴とする。
【０００８】
この赤外線センサ装置では、ベース部材の下部に、複数のリードピンに対応した位置にそれぞれ配されていると共に対応する端子部材が内面に露出した複数の位置決め用凹部が形成され、リードピンが、対応する位置決め用凹部に挿入されているので、作製時において、ステム部材上部に突出した各リードピンを、対応する各位置決め用凹部に挿入すると共に位置決め用凹部内に露出した端子部材に導電性接着材で接合することで、ベース部材を位置決めした状態でリードピンと端子部材とを接続することができる。
【０００９】
第２の発明に係る赤外線センサ装置は、第１の発明において、前記位置決め用凹部が、前記ベース部材下部の角部を矩形状に切り欠いて形成された２つの内壁面を有し、前記端子部材が、前記内壁面のうち一つに一部が露出し、前記リードピンが、２つの前記内壁面で構成された隅部に近接して配されていることを特徴とする。
すなわち、この赤外線センサ装置では、端子部材が、位置決め用凹部の内壁面のうち一つに一部が露出し、リードピンが、２つの内壁面で構成された隅部に近接して配されているので、リードピンが２つの内壁面で位置が規制されて正確に位置決めされる。
【００１０】
第３の発明に係る赤外線センサ装置は、第１又は第２の発明において、前記ベース部材が、平面視で略長方形状又は略正方形状とされ、前記リードピンが、前記ベース部材の四隅近傍かつ対応する前記端子部材の外側にそれぞれ配され、互いに対応する前記端子部材の外側面と前記リードピンの外周面とが、前記導電性接着材で接着されていることを特徴とする。
すなわち、この赤外線センサ装置では、リードピンが、ベース部材の四隅近傍かつ対応する端子部材の外側にそれぞれ配され、互いに対応する端子部材の外側面とリードピンの外周面とが、導電性接着材で接着されているので、４本のリードピンでベース部材を挟んだ状態で位置決めできる。また、リードピンの外周面と端子部材の外側面とにより接着面積が多くなり、高い接着性を得ることができる。
【００１１】
第４の発明に係る赤外線センサ装置は、第１から第３の発明のいずれかにおいて、前記ステム部材上に前記赤外線センサ本体及び前記ベース部材を内側に収納した状態で設置されたキャップ部材を備え、前記キャップ部材が、赤外線を透過可能な円形状の丸窓部を備え、前記丸窓部が、前記ベース部材の中心に中心軸が一致して配されていることを特徴とする。
すなわち、この赤外線センサ装置では、キャップ部材が、赤外線を透過可能な円形状の丸窓部を備え、丸窓部が、ベース部材の中心に中心軸が一致して配されているので、丸窓部に対して正確にベース部材及び赤外線センサ本体が位置合わせされていることで、視野角のずれを防止することができる。
【発明の効果】
【００１２】
本発明によれば、以下の効果を奏する。
すなわち、本発明に係る赤外線センサ装置によれば、ベース部材の下部に、複数のリードピンに対応した位置にそれぞれ配されていると共に対応する端子部材が内面に露出した複数の位置決め用凹部が形成され、リードピンが、対応する位置決め用凹部に挿入されているので、作製時において、ステム部材上部に突出した各リードピンを、対応する各位置決め用凹部に挿入すると共に位置決め用凹部内に露出した端子部材に導電性接着材で接合することで、ベース部材を位置決めした状態でリードピンと端子部材とを接続することができる。
したがって、本発明の赤外線センサ装置では、Ｃａｎパッケージに搭載した場合でも位置ずれによる視野角のずれを防ぐことができる。
【図面の簡単な説明】
【００１３】
【図１】本発明に係る赤外線センサ装置の一実施形態において、赤外線センサ本体を搭載したベース部材を示す平面図である。
【図２】本実施形態において、赤外線センサ本体を搭載したベース部材を示す裏面図である。
【図３】本実施形態において、赤外線センサ装置を示す平面図である。
【図４】図３のＢ−Ｂ線断面図である。
【図５】図１のＡ−Ａ線断面図である。
【図６】本実施形態において、赤外線センサ本体を示す平面図である。
【図７】本実施形態において、感熱素子設置前の赤外線センサ本体を示す裏面図である。
【図８】本実施形態において、ステム部材を示す平面図である。
【図９】本実施形態において、ベース部材を示す平面図である。
【発明を実施するための形態】
【００１４】
以下、本発明に係る赤外線センサ装置の一実施形態を、図１から図９を参照しながら説明する。
【００１５】
本実施形態の赤外線センサ装置１０は、図３及び図４に示すように、赤外線センサ本体１と、赤外線センサ本体１を上部に搭載したベース部材１１と、ベース部材１１を上部に搭載したステム部材１５と、ステム部材１５上に赤外線センサ本体１及びベース部材１１を内側に収納した状態で設置されたキャップ部材１６とを備えている。
上記ステム部材１５は、上下に貫通して上部に突出していると共に互いに絶縁された複数の導電性の棒状端子であるリードピンＰを備えている。本実施形態のステム部材１５では、４本のリードピンＰを備えている。
【００１６】
上記ベース部材１１は、図５及び図９に示すように、樹脂等で成形された絶縁性のベース本体１２と、ベース本体１２に取り付けられ上端部が端子電極４ｃにはんだ等の導電性接着材で接続されると共に側面がステム部材１５のリードピンＰにはんだ等の導電性接着材で接続される導電性の複数の端子部材１３とを備えている。
すなわち、ベース部材１１は、複数のリードピンＰと赤外線センサ本体１とを導電性接着材（図示略）を介して接続する複数の端子部材１３を備えている。本実施形態のベース部材１１では、４つの端子部材１３を備えている。
【００１７】
上記ベース部材１１の下部には、図１及び図２に示すように、複数のリードピンＰに対応した位置にそれぞれ配されていると共に対応する端子部材１３が内面に露出した複数の位置決め用凹部１４が形成され、リードピンＰが、対応する位置決め用凹部１４に挿入されている。
【００１８】
本実施形態では、４本のリードピンＰに対応して４箇所に位置決め用凹部１４が形成されている。
上記位置決め用凹部１４は、ベース部材１１下部の角部を矩形状に切り欠いて形成された２つの内壁面１４ａを有している。
上記端子部材１３は、内壁面１４ａのうち一つに一部が露出し、リードピンＰが、２つの内壁面１４ａで構成された隅部に近接して配されている。
【００１９】
上記ベース部材１１は、平面視で略長方形状又は略正方形状とされている。
上記リードピンＰは、ベース部材１１の四隅近傍かつ対応する端子部材１３の外側にそれぞれ配され、互いに対応する端子部材１３の外側面とリードピンＰの外周面とが、導電性接着材で接着されている。
上記キャップ部材１６は、赤外線を透過可能な円形状の丸窓部１６ａを備えている。この丸窓部１６ａは、ベース部材１１の中心に中心軸が一致して配されている。
【００２０】
上記赤外線センサ本体１は、図６及び図７に示すように、赤外線の受光側に上面を配する絶縁性基板２と、絶縁性基板２に設けられた検出用感熱素子３Ａ及び補償用感熱素子３Ｂと、絶縁性基板２に設けられ検出用感熱素子３Ａに接続された一対の検出側配線４Ａ及び補償用感熱素子３Ｂに接続された一対の補償側配線４Ｂと、絶縁性基板２の上面に設けられた赤外線遮蔽部５とを備えている。
【００２１】
上記絶縁性基板２の上面の一端側は、赤外線の受光領域とされ、検出用感熱素子３Ａが、受光領域に対向して配されている。
上記赤外線遮蔽部５は、上記絶縁性基板２の上面の他端側に形成されている主遮蔽部５ａと、絶縁性基板２の外縁に沿って延在し受光領域を囲んで形成された外周遮蔽部５ｂとを有し、補償用感熱素子３Ｂが、主遮蔽部５ａに対向して配されている。なお、本実施形態では、絶縁性基板２の下面に検出用感熱素子３Ａ及び補償用感熱素子３Ｂが実装されている。
【００２２】
また、赤外線センサ本体１は、絶縁性基板２の下面に受光領域に対向して配されていると共に絶縁性基板２よりも熱伝導率の高い材料で形成され検出用感熱素子３Ａに接続された集熱部６を一対備えている。なお、本実施形態の集熱部６は、銅箔等の金属で形成された集熱膜が採用されている。
一対の上記集熱部６は、受光領域の形状に対応して互いに対向した矩形状とされている。
なお、図１及び図６において赤外線遮蔽部５には、ハッチングを施し、図７においては、集熱部６及び検出側配線４Ａ及び補償側配線４Ｂに、ハッチングを施している。
【００２３】
また、検出側配線４Ａ及び補償側配線４Ｂには、その一端部にそれぞれ絶縁性基板２に形成された一対の接着電極４ａが接続されていると共に、他端部にそれぞれ絶縁性基板２に形成された端子電極４ｃが接続されている。また、検出側配線４Ａ及び補償側配線４Ｂは、接着電極４ａと端子電極４ｃとを接続して延在する接続配線部４ｂをそれぞれ有している。
二対の端子電極４ｃは、絶縁性基板２の四隅近傍に配されている。
【００２４】
なお、上記接着電極４ａには、それぞれ対応する検出用感熱素子３Ａ及び補償用感熱素子３Ｂの端子部が半田等の導電性接着材で接着されている。
上記集熱部６は、接続配線部４ｂと接着電極４ａとに接続されており、接続配線部４ｂは、端子電極４ｃよりも細くかつ長く延在して形成されており、熱が集熱部６から端子電極４ｃ側に伝わり難く設定されている。
【００２５】
上記絶縁性基板２は、ポリイミド樹脂シート等の絶縁性フィルムで略長方形状又は略正方形状に形成され、赤外線遮蔽部５，集熱部６，検出側配線４Ａ及び補償側配線４Ｂが銅箔で形成されている。すなわち、これらは、絶縁性基板２とされるポリイミド基板の両面に、赤外線遮蔽部５，集熱部６，検出側配線４Ａ及び補償側配線４Ｂとされる銅箔のフロート電極がパターン形成された両面フレキシブル基板によって作製されたものである。
【００２６】
上記赤外線遮蔽部５は、絶縁性基板２よりも高い赤外線反射率を有する材料で形成された赤外線反射膜であり、本実施形態では銅箔上に金メッキ膜が施されてパターン形成されている。
なお、金メッキ膜の他に、例えば鏡面のアルミニウム蒸着膜やアルミニウム箔等で形成しても構わない。
【００２７】
上記検出用感熱素子３Ａ及び補償用感熱素子３Ｂは、両端部に端子部が形成されたチップサーミスタである。このサーミスタとしては、ＮＴＣ型、ＰＴＣ型、ＣＴＲ型等のサーミスタがあるが、本実施形態では、検出用感熱素子３Ａ及び補償用感熱素子３Ｂとして、例えばＮＴＣ型サーミスタを採用している。このサーミスタは、Ｍｎ−Ｃｏ−Ｃｕ系材料、Ｍｎ−Ｃｏ−Ｆｅ系材料等のサーミスタ材料で形成されている。
【００２８】
上記ステム部材１５は、図８に示すように、円盤状のステム本体１５ａに４本のリードピンＰが互いに絶縁されて上下に貫通して設けられている。
上記キャップ部材１６は、円筒状に形成され、上部に設けられた丸窓部１６ａが、赤外線を透過する材料で形成された窓部材１７で閉塞されている。
【００２９】
上記端子部材１３は、ベース本体１２より熱伝導性の高い金属等の材料で形成されていると共に、側方に突出した端子ピン部１３ａを有している。
上記ベース本体１２は、側部に形成され端子ピン部１３ａが差し込み固定される端子部材用穴部１２ａと、上部に形成され検出用感熱素子３Ａの直下に配された素子収納用穴部１２ｃと、上部に形成され補償用感熱素子３Ｂの直下に配された素子収納用凹部１２ｄとを有している。
長く突出した端子ピン部１３ａは、長孔形状の端子部材用穴部１２ａに差し込まれて嵌め込まれることで固定される。
【００３０】
本実施形態では、ベース本体１２が平面視で略長方形状又は略正方形状に形成された薄板状のブロック形状であり、４つの端子部材１３が４つの角部の近傍に嵌め込まれ、対向する両側にそれぞれ２つずつ端子部材１３が配されている。すなわち、ベース本体１２の両側にそれぞれ赤外線センサ本体１を支持する部分が２つずつ互いに間隔を空けて設けられ、全部で４箇所で赤外線センサ本体１が支持、固定される。
【００３１】
なお、赤外線センサ本体１は、ベース本体１２との間に隙間を設けて支持されている。すなわち、上記端子部材１３は、その上部がベース本体１２の上面から一定量だけ突出しており、上端部にはんだ付け等の導電性接着材で接続された赤外線センサ本体１をベース本体１２から浮かせた状態で支持している。
【００３２】
端子部材１３は、端子ピン部１３ａの下に該端子ピン部１３ａの突出方向と逆に延在した端子スリット部１３ｂを有し、ベース本体１２は、端子スリット部１３ｂに差し込まれる端子用差し込み部１２ｂを有している。
端子部材１３の上端部は、はんだ付け用に平坦部とされている。
なお、上記端子部材１３は、金属板から型抜き加工、エッチング加工又はレーザ加工によって形成された板状である。
【００３３】
端子部材１３の側面には、対応するリードピンＰの上部外周面がはんだ等の導電性接着材で接着されている。
上記４本のリードピンＰは、ベース本体１２の四隅の裏面側に形成された矩形状の切り欠き部分である位置決め用凹部１４に挿入された状態で、対応する端子部材１３に接合されている。互いに対応する端子部材１３の外側面とリードピンＰの外周面とが接合されており、４本のリードピンＰによってベース部材１１が挟まれていると共に位置決めされた状態となっている。
【００３４】
このように本実施形態の赤外線センサ装置１０では、ベース部材１１の下部に、複数のリードピンＰに対応した位置にそれぞれ配されていると共に対応する端子部材１３が内面に露出した複数の位置決め用凹部１４が形成され、リードピンＰが、対応する位置決め用凹部１４に挿入されているので、作製時において、ステム部材１５上部に突出した各リードピンＰを、対応する各位置決め用凹部１４に挿入すると共に位置決め用凹部１４内に露出した端子部材１３に導電性接着材で接合することで、ベース部材１１を位置決めした状態でリードピンＰと端子部材１３とを接続することができる。
【００３５】
特に、端子部材１３が、位置決め用凹部１４の内壁面１４ａのうち一つに一部が露出し、リードピンＰが、２つの内壁面１４ａで構成された隅部に近接して配されているので、リードピンＰが２つの内壁面１４ａで位置が規制されて正確に位置決めされる。
【００３６】
また、リードピンＰが、ベース部材１１の四隅近傍かつ対応する端子部材１３の外側にそれぞれ配され、互いに対応する端子部材１３の外側面とリードピンＰの外周面とが、導電性接着材で接着されているので、４本のリードピンＰでベース部材１１を挟んだ状態で位置決めできる。また、リードピンＰの外周面と端子部材１３の外側面とにより接着面積が多くなり、高い接着性を得ることができる。
【００３７】
さらに、キャップ部材１６が、赤外線を透過可能な円形状の丸窓部１６ａを備え、丸窓部１６ａが、ベース部材１１の中心に中心軸が一致して配されているので、丸窓部１６ａに対して正確にベース部材１１及び赤外線センサ本体１が位置合わせされていることで、視野角のずれを防止することができる。
【００３８】
なお、本発明の技術範囲は上記実施形態に限定されるものではなく、本発明の趣旨を逸脱しない範囲において種々の変更を加えることが可能である。
【００３９】
例えば、上記実施形態では、チップサーミスタの感熱素子を採用しているが、薄膜サーミスタで形成された感熱素子を採用しても構わない。
なお、感熱素子としては、上述したように薄膜サーミスタやチップサーミスタが用いられるが、サーミスタ以外に焦電素子等も採用可能である。
【符号の説明】
【００４０】
１…赤外線センサ本体、２…絶縁性基板、３Ａ…検出用感熱素子、３Ｂ…補償用感熱素子、４Ａ…検出側配線、４Ｂ…補償側配線、５…赤外線遮蔽部、６…集熱部、１０…赤外線センサ装置、１１…ベース部材、１４…位置決め用凹部、１４ａ…位置決め用凹部の内壁面、１５…ステム部材、１６…キャップ部材、１６ａ…丸窓部、Ｐ…リードピン
【図１】
2019158786.tif 000003
【図２】
2019158786.tif 000004
【図３】
2019158786.tif 000005
【図４】
2019158786.tif 000006
【図５】
2019158786.tif 000007
【図６】
2019158786.tif 000008
【図７】
2019158786.tif 000009
【図８】
2019158786.tif 000010
【図９】
2019158786.tif 000011